(57)【特許請求の範囲】
【請求項１】
コーン形状をなす振動板（４）のコーン形状の拡開する側である前面側中央部に、ヨーク（９Ａ）とこのヨーク（９Ａ）の中央部に設けられたマグネット（９Ｂ）とこのマグネット（９Ｂ）の後面に設けられたポール（９Ｃ）とからなる磁気回路（９）が設けられたスピーカにおいて、
前記磁気回路（９）の前記ヨーク（９Ａ）と間隔を介し対向する振動板の後面側を平坦部分（４Ｂ）に形成し、
この平坦部分（４Ｂ）の内周部を前記磁気回路の磁気ギャップに設けられたボイスコイル（６）のボビン（６Ａ）の後方外周部に接続し、
かつ前記平坦部分（４Ｂ）の外周部に前面に向って突出する立ち上げ部を形成し、この立ち上げ部外周にダンパ（５）の内周部を接続し、
このダンパ（５）の外周部には後方から前方に向って直線状に延びる立上がり部（５Ａ）を形成し、
この立上がり部（５Ａ）の前端部に外周方向に折曲したフランジ部（５Ｂ）を形成し、
このフランジ部（５Ｂ）の前面に、前記振動板（４）の前端部に内周部が接続されたエッジ（４Ａ）の外周部を接続し、
このエッジ（４Ａ）の前面は円筒状をなすガスケット（２）の背面部に接続し、
このガスケット（２）の前部は平板状のフレーム（１）の内面に接続され、このフレーム（１）の中央部内面に前記磁気回路（９）が設けられ、
前記ガスケット（２）の外周部に配線用のターミナル（３）を設けた、
ことを特徴とするスピーカ。
【発明の詳細な説明】
【技術分野】
【０００１】
本発明は薄型のスピーカに関する。
【背景技術】
【０００２】
薄型化された装置にスピーカを組み込む場合、このスピーカにも薄型のものが要求される。特に、この装置が液晶パネルなどを用いた薄型テレビジョンである場合、薄型テレビジョンの厚さも必然的に薄くなる。こうした薄型の装置にスピーカを組み込む場合、特に厚みの薄いスピーカが必要である。こうした薄型のスピーカとして、振動板の前面側に磁気回路を配置した構造のものがある（特許文献１）。
【特許文献１】特開昭６２−１３６１９６号公報
【発明の開示】
【発明が解決しようとする課題】
【０００３】
従来のスピーカには、次の課題がある。特許文献１に記載されたスピーカでは、図３に示すように、第１のフレーム１０１を振動板１１０の前面側に設け、この第１のフレーム１０１に磁気回路１２０を取り付けている。また、振動板１１０の後面側に凹状の第２のフレーム１０２を設け、この第２のフレーム１０２にダンパ１３０を取り付けている。そして、第２のフレーム１０２を第１のフレーム１０１に固定している。また、従来のスピーカでは、ボイスコイル１４０に振動板１１０とダンパ１３０とを取り付けている。
【０００４】
こうした構造により、従来のスピーカでは、振動板１１０の振幅による振動板１１０と磁気回路１２０のヨーク１２１との接触を避けるために、距離ａを大きくする必要がある。また、ボイスコイル１４０に振動板１１０とダンパ１３０とを固定するために、厚みｂが必要になる。したがって、従来のスピーカでは、距離ａを大きくし、また厚みｂが必要であるので、これらの分だけスピーカが厚くなってしまう。
【０００５】
また、従来のスピーカには、２つのフレーム（第１および第２のフレーム１０１、１０２）が必要であり、部品点数が多く、製造工程が複雑になる。さらに、従来のスピーカでは、ターミナル１５０を第２のフレーム１０２の側面に取り付けているために、ダンパ１３０が接近しているが、スピーカの薄型化のためにターミナル１５０を伸ばすことができず、半田付けの製造工程が容易ではない。
【０００６】
本発明は、前記の課題を解決し、薄型化を可能とする共に、部品点数を減らし、かつ、製造工程を簡単化することを可能とするスピーカを提供することにある。
【課題を解決するための手段】
【０００７】
前記課題を解決するために、請求項１の発明は、コーン形状をなす振動板４のコーン形状の拡開する側である前面側中央部に、ヨーク９Ａとこのヨーク９Ａの中央部に設けられたマグネット９Ｂとこのマグネット９Ｂの後面に設けられたポール９Ｃとからなる磁気回路９が設けられたスピーカにおいて、前記磁気回路９の前記ヨーク９Ａと間隔を介し対向する振動板の後面側を平坦部分４Ｂに形成し、この平坦部分４Ｂの内周部を前記磁気回路の磁気ギャップに設けられたボイスコイル６のボビン６Ａの後方外周部に接続し、かつ前記平坦部分４Ｂの外周部に前面に向って突出する立ち上げ部を形成し、この立ち上げ部外周にダンパ５の内周部を接続し、このダンパ５の外周部には後方から前方に向って直線状に延びる立上がり部５Ａを形成し、この立上がり部５Ａの前端部に外周方向に折曲したフランジ部５Ｂを形成し、このフランジ部５Ｂの前面に、前記振動板４の前端部に内周部が接続されたエッジ４Ａの外周部を接続し、このエッジ４Ａの前面は円筒状をなすガスケット２の背面部に接続し、このガスケット２の前部は平板状のフレーム１の内面に接続され、このフレーム１の中央部内面に前記磁気回路９が設けられ、前記ガスケット２の外周部に配線用のターミナル３を設けた、ことを特徴とするスピーカである。
【発明の効果】
【０００８】
本発明によれば、ダンパを振動板に取り付け、振動板にボイスコイルを取り付けたので、ボイスコイルに対するダンパの取り付け分だけ、スピーカの形状を薄型にすることができる。また、ダンパに立上がり部を設け、この立上がり部を、ガスケットを介してフレームに取り付けたので、従来のフレームを不要にすることができ、部品点数を減らすことができる。さらに、ヨークの先端に対向する振動板の部分に平坦部分を設けたので、振幅距離と再生帯域とを確保しながら、スピーカを薄型にすることができる。
【発明を実施するための最良の形態】
【０００９】
つぎに、本発明を実施するための最良の形態について、図面を参照して説明する。図１は、本実施形態によるスピーカを示す断面図であり、図２は、図１のスピーカを分解した様子を示す断面図である。なお、図２では、図面の複雑化を避けるために、部材の繋がり表す線の記載を省略している。本実施形態によるスピーカは、平面形状をしたフレーム１を備えている。フレーム１には、複数の開口１Ａと、ネジ穴１Ｂとが開けられている。フレーム１には、円環状の第１の凹部１Ｃが端部側に設けられ、中心側に円環状の第２の凹部１Ｄが設けられている。さらに、フレーム１には、２つの挿通穴１Ｅが開けられている。
【００１０】
フレーム１の第１の凹部１Ｃには、円筒状のガスケット２の一方の端面、すなわち前面が取り付けられている。ガスケット２の外周面には、挿通穴２Ａが開けられ、挿通穴２Ａによりターミナル３が取り付けられている。
【００１１】
振動板４は円錐形状、すなわちコーン形状をしており、振動板４の支持材であるエッジ４Ａがガスケット２の他方の端面、すなわち後面に取り付けられている。また、コーン形状をした振動板４の後面側である底部に、平坦部分４Ｂが形成されている。平坦部分４Ｂの幅ｍは、後述する磁気回路９のヨーク９Ａの厚さｎに比べて広くなっている。これによって、振動板４が振動したときに、平坦部分４Ｂがヨーク９Ａの後端まで動くことが可能であり、本実施形態によるスピーカにおいては、従来の延長部分４Ｃ（図２）の高さｐだけ薄くすることができる。
【００１２】
ガスケット２の他方の端面には、振動板４のエッジ４Ａを介してダンパ５が取り付けられている。ダンパ５の周縁に立上がり部５Ａが形成され、立上がり部５Ａの周縁がＬ字状に折り曲げられて、前端部にフランジ部５Ｂが形成されている。このフランジ部５Ｂが先に述べたようにガスケット２に取り付けられている。ダンパ５の内側周縁である可動部が先に述べた振動板４の平坦部分４Ｂに取り付けられているので、本実施形態によるスピーカにおいては、ダンパ５が振動板４を保持している構造である。
【００１３】
振動板４の平坦部分４Ｂの内周縁には、ボイスコイル６のボビン６Ａが取り付けられている。ボビン６Ａの一方の端部すなわち後部はキャップ７で塞がれ、他方の端部、すなわち前部外周にはコイル部分６Ｂが巻回されている。コイル部分６Ｂは、ターミナル３と電気的に接続されている。つまり、ターミナル３に接続されたリード線８がフレーム１の挿通穴１Ｅを通って固定される。さらに、リード線８は、振動板４に固定されると共に、ボイスコイル６のコイル部分６Ｂのリード線に接続される。本実施形態によるスピーカにおいては、ボイスコイル６は、振動板４の前面側に配置されると共に、振動板４を介してダンパ５に支持されている構造である。
【００１４】
一方、フレーム１の第２の凹部１Ｄには、磁気回路９が取り付けられている。磁気回路９はヨーク９Ａとマグネット９Ｂとポール９Ｃを備えている。ヨーク９Ａは一端が塞がれた有底円筒であり、ヨーク９Ａの前面側である底部分は、フレーム１のネジ穴１Ｂを通したネジ１Ｆによって、フレーム１に固定されている。マグネット９Ｂとポール９Ｃとはヨーク９Ａ内に取り付けられ、ヨーク９Ａと、マグネット９Ｂおよびポール９Ｃとの間には、ギャップが形成されている。そして、このギャップには、先に述べたボイスコイル６のコイル部分６Ｂが挿入されている。
【００１５】
本実施形態によるスピーカは前記の構成である。この構成によれば、ヨーク９Ａの後端に対向する振動板４に平坦部分４Ｂを設けたので、振幅距離と再生帯域とを確保しながら、スピーカの形状を高さｐだけ薄型にすることができる。
【００１６】
また、この構成によれば、ダンパ５を振動板４に取り付け、さらに、振動板４にボイスコイル６を取り付けたので、従来のスピーカに必要であった、ボイスコイル６に対するダンパ５の取り付け分だけ、スピーカの形状を薄型にすることができる。
【００１７】
また、この構成によれば、ダンパ５に立上がり部５Ａを設け、この立上がり部５Ａを、ガスケット２を介してフレーム１に取り付けたので、従来のフレームを不要にすることができ、部品点数を減らすことができる。これによって、スピーカの製造工程を簡略にすることができる。
【００１８】
さらに、この構成によれば、ターミナル３をガスケット２（ダンパーリング）に付けることにより、ターミナル３を伸ばすことができ、少ないスペースでスピーカ後面から容易に配線をすることができる。
【００１９】
以上、この発明の実施形態を詳述してきたが、具体的な構成はこの実施形態に限られるものではなく、この発明の要旨を逸脱しない範囲の設計の変更等があっても、この発明に含まれる。
【図面の簡単な説明】
【００２０】
【図１】本発明の実施形態によるスピーカを示す断面図である。
【図２】図１のスピーカを分解した様子を示す断面図である。
【図３】従来のスピーカを示す断面図である。
【符号の説明】
【００２１】
１  フレーム
１Ａ  開口
１Ｂ  ネジ穴
１Ｃ  第１の凹部
１Ｄ  第２の凹部
１Ｅ  挿通穴
１Ｆ  ネジ
２  ガスケット
２Ａ  挿通穴
３  ターミナル
４  振動板
４Ａ  エッジ
４Ｂ  平坦部分
４Ｃ  延長部分
５  ダンパ
５Ａ  立上がり部
５Ｂ  フランジ部
６  ボイスコイル
６Ａ  ボビン
６Ｂ  コイル部分
７  キャップ
８  リード線
９  磁気回路
９Ａ  ヨーク
９Ｂ  マグネット
９Ｃ  ポール
【図１】
0004440001.tif 000002
【図２】
0004440001.tif 000003
【図３】
0004440001.tif 000004